(57)【特許請求の範囲】
【請求項１】
グラフト反応により凝集する傾向を有するラテックス系を製造する方法において、アクリル酸、メタクリル酸、ブチルアクリレート、メチルメタクリレート、アクリル酸エステル類、スチレン、ビニルエーテル類、ビニルおよびビニリデンハライド、Ｎ-ビニルピロリドン、エチレン、Ｃ3若しくはそれ以上のα-オレフィン、アリルアミン類、不飽和モノカルボン酸のアリルエステル類およびそのアミド類、プロピレン、１-ブテン、１-ペンテン、１-ヘキセン、１-デセン、アリルアミン類、酢酸アリル、プロピオン酸アリルおよび乳酸アリル、それらのアミド類、およびそれらの混合物から成る群から選ばれる少くとも一種のエチレン系不飽和単量体を、該ラテックスを安定化するために有効な量の、カルボキシメチルセルロースおよびカルボキシル基置換度の下限が０．７であるその誘導体、ヒドロキシエチルセルロース、エチルヒドロキシエチルセルロース、メチルセルロース、メチルヒドロキシプロピルセルロース、ヒドロキシプロピルセルロース、及び疎水性に修飾されたセルロースエーテル（その疎水基が、その疎水性に修飾されたセルロースエーテルの重量の０．１％から３．０％の、４から２５個の炭素原子有する炭化水素である）から成る群から選ばれる、７５，０００以下の分子量を有する水溶性保護コロイドの存在下で、水系乳化重合することを含んでなる改良法。
【請求項２】
該エチレン系不飽和単量体の総量に対して、０．０１から４．０重量％の界面活性剤も存在する請求の範囲第１項に記載の方法。
【請求項３】
該界面活性剤が、アニオン、カチオン、非イオン、および両性界面活性剤およびそれらの混合物から成る群から選ばれる構成成分を含んでなる請求の範囲第２項に記載の方法。
【請求項４】
該界面活性剤が、ポリグリコールエーテル類；スルホン化パラフィン系炭化水素；高級アルキルサルフェート類；脂肪酸のアルカリ金属塩類類；脂肪アルコールの硫酸エステル類；エトキシル化Ｃ4-12アルキルフェノール類およびそれらのスルホン化生成物；エトキシル化Ｃ4-12アルカノール類およびそれらのスルホン化生成物；およびスルホ-コハク酸エステル類およびそれらの混合物から成る群から選ばれる構成成分を含んでなる請求の範囲第３項に記載の方法。
【請求項５】
該界面活性剤が、４-５０のエチレンオキシド単位を有するノニルフェノールエトキシレート、ジオクチルスルホ-コハク酸ナトリウム、ラウリルサルフェート、ステアリン酸ソーダ、オレイン酸ソーダ、およびそれらの混合物から成る群から選ばれる構成成分を含んでなる請求の範囲第４項に記載の方法。
【請求項６】
該保護コロイドが、５０，０００を上限とする分子量を有する請求の範囲第１項に記載の方法。
【請求項７】
該保護コロイドが、２０，０００を上限とする分子量を有する請求の範囲第１項に記載の方法。
【請求項８】
該セルロースエーテルが、０．７〜２．９のカルボキシ基置換度を有するカルボキシメチルセルロースを含んでなる請求の範囲第１項に記載の方法。
【請求項９】
該セルロースエーテルが、４．０を上限とするヒドロキシエチル・モル置換度を有するヒドロキシエチルセルロースを含んでなる請求の範囲第１項に記載の方法。
【請求項１０】
該セルロースエーテルが、１．６を下限とするヒドロキシエチル・モル置換度を有するヒドロキシエチルセルロースを含んでなる請求の範囲第１項に記載の方法。
【請求項１１】
該疎水性に修飾されたセルロースエーテルが、疎水性に修飾されたヒドロキシエチルセルロースを含んでなる請求の範囲第１項に記載の方法。
【請求項１２】
該疎水性に修飾されたヒドロキシエチルセルロースが、４．０を上限とするヒドロキシエチル・モル置換度を有する請求の範囲第１項に記載の方法。
【請求項１３】
該疎水性に修飾されたヒドロキシエチルセルロースが、２．９を下限とするヒドロキシエチル・モル置換度を有する請求の範囲第１項に記載の方法。
【請求項１４】
開始剤が存在し、そして水溶性過酸化物、ペルオキソ硫酸塩、および過硼酸塩から成る群から選ばれる構成成分を含んでなる請求の範囲第１項に記載の方法。
【請求項１５】
該開始剤が、過酸化水素、ペルオキソ硫酸カリ、ソーダおよびアンモニウム、および過硼酸ソーダから成る群から選ばれる構成成分を含んでなる請求の範囲第１４項に記載の方法。
【請求項１６】
重合が、反応の開始時に加えられた開始剤の総量の０％から６０％および少くとも一種のエチレン系不飽和単量体の総量の０％から４０％の間で、半-連続的に行われる請求の範囲第１項に記載の方法。
【請求項１７】
重合が連続的に行われる請求の範囲第１項に記載方法。
【請求項１８】
重合が“ループ”反応器中で行われる請求の範囲第１項に記載の方法。
【請求項１９】
グラフト反応により凝集する傾向を有するラテックス系で、
（ａ）アクリル酸、メタクリル酸、ブチルアクリレート、メチルメタクリレート、アクリル酸エステル類、スチレン、ビニルエーテル類、ビニルおよびビニリデンハライド類、Ｎ-ビニルピロリドン、エチレン、Ｃ3若しくはそれ以上のα-オレフィン、アリルアミン類、不飽和モノカルボン酸のアリルエステル類およびそのアミド類、プロピレン、１-ブテン、１-ペンテン、１-ヘキセン、１-デセン、アリルアミン類、酢酸アリル、プロピオン酸アリルおよび乳酸アリル、それらのアミド類、およびそれらの混合物から成る群から選ばれる少くとも一種のエチレン系不飽和単量体の重合体；および
（ｂ）該ラテックス系を安定化するのに有効な量の、カルボキシメチルセルロースおよびカルボキシル基置換度の下限が０．７であるその誘導体、ヒドロキシエチルセルロース、エチルヒドロキシエチルセルロース、メチルセルロース、メチルヒドロキシプロピルセルロース、ヒドロキシプロピルセルロース、及び疎水性に修飾されたセルロースエーテル（その疎水基が、その疎水性に修飾されたセルロースエーテルの重量の０．１％から３．０％の、４から２５個の炭素原子有する炭化水素である）から成る群から選ばれる、７５，０００以下の分子量を有する水溶性保護コロイド；
を含んでなる水系エマルションを含んでなる改良されたラテックス系。
【請求項２０】
該重合体が、該水溶性保護コロイドの存在下で、水系乳化重合により重合される請求の範囲１９項に記載のラテックス系。
【請求項２１】
該エチレン系不飽和単量体の総量に対して、０．０１から４．０重量％の界面活性剤も存在する請求の範囲第１９項に記載のラテックス系。
【請求項２２】
該保護コロイドが、５０，０００を上限とする分子量を有する請求の範囲第１９項に記載のラテックス系。
【請求項２３】
該保護コロイドが、２０，０００を上限とする分子量を有する請求の範囲第１９項に記載のラテックス系。
【請求項２４】
該重合体が、３００ナノメータ未満の平均粒径により特性化される不連続相を含んでなる請求の範囲第１９項に記載のラテックス系。
【請求項２５】
（ａ）顔料およびエクステンダーから成る群から選ばれる少くとも一種の構成成分；および
（ｂ）請求の範囲第１９項に記載のラテックス系；
を含んでなるラテックス・ペイント組成物。
【請求項２６】
該ラテックスが溶媒を含まない請求の範囲第２５項に記載のラテックス・ペイント組成物。
【請求項２７】
該重合体が、５００ナノメータ未満の平均粒径を有する粒子を含んでなる請求の範囲第２６項に記載のラテックス・ペイント組成物。
【請求項２８】
該ペイントが、５０未満の顔料体積率を有する光沢ペイントである請求の範囲第２５項に記載のラテックス・ペイント組成物。
【請求項２９】
該ペイントが、５０若しくは、それ以上の顔料体積率を有する、つや消しペイントである請求の範囲第２５項に記載のラテックス・ペイント組成物。
【請求項３０】
請求の範囲第１９項に記載のラテックス系と少くとも一種の他のインキ成分を含んでなる水系インキ組成物。
【請求項３１】
請求の範囲第１９項に記載のラテックス系と少くとも一種の他の紙塗工用組成物成分を含んでなる紙塗工用組成物。
【請求項３２】
請求の範囲第１９項に記載のラテックス系と少くとも一種の他のデキストリンを含まない接着剤構成成分を含んでなるデキストリン-フリー接着剤組成物。
【請求項３３】
請求の範囲第１９項に記載のラテックス系と少くとも一種の他のバインダー成分を含んでなる不織布材料用バインダー。
【発明の詳細な説明】
発明の背景
１．継続出願資料
本出願は、１９９４年１１月３日に出願され、現在は、放棄された、米国特許出願第０８／３３３，６９７号の継続出願である、１９９５年１０月２０日に出願された米国特許出願第０８／５４２，２６９号（代理人審理予定番号Ｐ１４１８４）の継続出願の一部である。これらの出願は、本明細書中にその全部が引用参照されている。
２．発明の分野
本発明は、水溶性保護コロイドの存在下でエチレン系不飽和単量体から、誘導される水系重合体分散液、およびそれらを合成する方法に関する。
３．背景および他の情報の説明
工業的乳化重合法において、界面活性剤は、普通、単独で若しくは高分子保護コロイドと組合せて用いられる。この方法の欠点は、せん断に対して安定らラテックスを得るために、経済的でなく、且つ、逆の副作用を有する界面活性剤を使用しなければならないことである。例えば、ラテックス系中に界面活性剤が存在すると最終生成物の感湿性に負の影響を及ぼし、そして起泡の原因になる。
従来技術では、ビニル単量体、ビニル単量体とアクリル酸エステル、メタクリル酸エステル或いはそれらの混合物のようなアクリル系単量体、を含むエチレン系不飽和化合物の乳化重合において、ヒドロキシエチルセルロース（ＨＥＣ）およびポリ（ビニルアルコール）（ＰＶＯＨ）のような共-安定剤としての保護コロイドが存在すると、改善された粘弾性、安定性および実用性能特性をもたらすことが知られている。これらの水系重合体分散液は、ラテックス塗料、不織布材料用バインダー、水性インキ、紙の塗工剤および感圧接着剤のような水性接着剤の製造に有用である。
アクリル系単量体またはスチレン単独或いは他の単量体との組合せから成る単量体の乳化重合法では、必ずしも共-安定剤としてのセルロース若しくはＰＶＯＨのような保護コロイドを使用することはできない。従来法の保護コロイドをアクリル-またはスチレン-ベースのラテックス系に使用すると、機械的安定性の不足を示す大きい程度の凝集が起きる。この凝集は、その保護コロイドが反応中の高分子鎖に直接組込まれる傾向が大きいことに因る。この現象は普通、グラフト重合として知られている。
本質的な、および自然のグラフト重合は、全部を排除すべきではないことを理解すべきである。少量のグラフト重合は凝集の原因にならず；その上、酢酸ビニル共重合体ラテックスで長い間知られているように、ラテックス系の安定性を向上させる。凝集の原因になるのは、多過ぎるグラフト重合と粒子間橋架けの可能性との組合せである。粒子間橋架けはグラフト物の量或いは粒径だけで決まるのではなく、その水相中に存在する水溶性重合体の量、保護コロイドの分子量、固形物含有量、などにも依存する。
いずれにせよ、個別のラテックス系に応じて、その機械的安定性の不足は、高水準の界面活性剤を単独で、または保護コロイドと組合せて使用することにより克服される。例えば、酢酸ビニルをベースにする系では、高水準の保護コロイドが界面活性剤と組合せて用いられ、一方アクリルベースの系では、高水準の界面活性剤が単独で用いられる。しかし、そのような高水準の界面活性剤を用いて合成されたラテックスは、上述のような実用性能上の問題点を有している。
かくして、工業において、高水準の界面活性剤若しくは従来技術の保護コロイドを使用することに関連する従来技術のラテックス系での固有の欠点を克服する必要が存在する。
クレイグの７０４（ＤＲＡＩＧ′７０４）：米国特許第４，６８４，７０４号明細書に説明されている方法は、単量体の総含有量に対し、約０．０１％から約１．７重量％の、疎水性-修飾ヒドロキシエチルセルロース（ＨＭＨＥＣ）を用いることになっており、これは、保護コロイドへのグラフト性の小さい単量体の乳化重合により、分散液若しくはラテックスに容易に、且つ、うまく取込まれる。得られるラテックスは、１．０ミクロン未満の粒径と素晴らしい機械的安定性を有している。
ＬＯ、米国特許第４，８４５，１７５号明細書に開示されているアクリル単量体系を重合するもう一つの方法では、保護コロイドとして０．０２％から約２．０重量％の、疎水性-修飾ヒドロキシエチルセルロースを用いることになっている。
クレイグの７７１：米国特許第４，６５９，７７１号明細書に開示されているアクリル単量体系を重合する更にもう一つの方法では、保護コロイドに加えて、約０．１重量％から５重量％の、フロン酸（ｆｕｒｏｉｃ  ａｃｉｄ）、スチレンスルホン酸のような実質的に完全に水溶性の共役不飽和単量体および、ロジンおよび４から３６個の炭素原子を有する酸の金属塩、アミン塩、アンモニウム塩および第４級塩を使用することになっている。
本発明の要約
本発明は、少くとも一種のエチレン系不飽和単量体を、そのエチレン系不飽和単量体の総含有量の重量を基に、多糖類、ポリアクリル酸およびそれらの塩、部分的および完全加水分解ポリビニルアルコール、ポリアクリルアミド、ポリビニルピロリドン、ポリビニルエーテル、ゼラチン、カゼインおよびその群の誘導体および混合物から選ばれた、約７５，０００未満の分子量を有する保護コロイドである、有効量の重合体の存在下で、乳化重合することを含んでなる、改善された機械的安定性を有するラテックスを製造する方法に関する。
本発明はさらに、少くとも一種のエチレン系不飽和単量体の重合体と、更に上に示した保護コロイドを含む水系エマルションを含んでなるラテックス系に関する。
本発明の説明
予想に反して、エチレン系不飽和単量体の乳化重合で、低分子量の保護コロイドを使用すると、得られる重合体の機械的安定性が素晴らしくなることが見いだされた。この保護コロイドの分子量の上限は、約７５，０００、望ましくは約５０，０００、そして最も望ましくは約２０，０００である。この保護コロイドの分子量の下限は、約５，０００、望ましくは約１０，０００、そして最も望ましくは約１５，０００である。
本発明は特に、アクリル系およびスチレン系ラテックス用に有効である。上に示したように、従来技術のアクリル若しくはスチレン・ベースのラテックス系に関連して上に説明したように、工業的に望まれる水準の保護コロイドを使用することは、高水準の凝集が起きるので実用的でない。この問題を克服するために、高水準の界面活性剤を使用すると、最終製品の感湿性に負の効果を及ぼし、起泡の原因になる。加えて、常用の使用水準では、界面活性剤は最終製品に十分な機械的安定性を付与しない。アクリル若しくはスチレン・ベースのラテックス系に低分子量の保護コロイドを使用すると、予想に反して、界面活性剤の添加水準を下げること、若しくは界面活性剤を使用しないことさえも可能になることが見いだされた。この最終製品は一般に、従来技術の系に比べて、感湿性がより小さく、起泡性がより小さく、そして機械的安定性がより大きくことが見いだされた。機械的安定性は、それ自身、より長い貯蔵寿命を証明することができる。更に、塗料に使用する場合、サグ（ｓａｇ：垂れ下がり）の傾向を減らし、レベリングを改善する。
推奨される多糖類系保護コロイドは、エチレンオキシド、塩化メチル、プロピレンオキシド、モノクロロ酢酸など、およびそれらの混合物を用いて誘導される水溶性セルロースエーテルである。特に望ましいのは、カルボキシル基置換度（ＤＳ）が約０．７から約２．９、より望ましくは、約０．７から約１．５、さらにより望ましくは、約１．０から約１．４、のカルボキシメチルセルロース（ＣＭＣ）およびその誘導体である。適したカルボキシメチルセルロースの誘導体はエチルカルボキシメチルセルロース、ヒドロキシエチルカルボキシメチルセルロース、ヒドロキシプロピルカルボキシメチルセルロース、メトキシエチルカルボキシメチルセルロース、エトキシエチルカルボキシメチルセルロース、およびジエチルアミノカルボキシメチルセルロースである。
ヒドロキシエチルセルロース（ＨＥＣ）も使用することが可能で、そのヒドロキシエチル-モル置換度（ＭＳ）は、約１．６から約４．０の範囲が望ましく、より望ましくは約１．８から約３．５、さらにより望ましくは約１．８と約２．９の間である。
さらにまた、疎水性に修飾したセルロースエーテルも使用できる。適した疎水性修飾セルロースエーテルは、その疎水性に修飾したセルロースエーテルに対する重量で、約０．１％から約３．０％、より望ましくは約０．１％から約２．０％の４から２５個の炭素原子有する炭化水素でさらに置換されているセルロースエーテル類である。
望ましい疎水性修飾セルロースエーテルは、疎水性に修飾したヒドロキシエチルセルロース（ＨＭＨＥＣ）である。本発明の実施において有用な疎水性修飾ヒドロキシエチルセルロースは、その疎水性に修飾したヒドロキシエチルセルロースに対する重量で、約０．１％から約３．０％、より望ましくは約０．１％から約２．０％の、４から２５個の炭素原子有する炭化水素でさらに置換されているヒドロキシエチルセルロースエーテルである。そのＨＭＨＥＣのヒドロキシエチルＭＳは、望ましくは約２．９から約４．０、より望ましくは約２．９と約３．５の間である。
本発明で保護コロイドとして用いられる他のセルロースエーテルは、例えば、エチルヒドロキシエチルセルロース（ＥＨＥＣ）、メチルセルロース（ＭＣ）、メチルヒドロキシプロピルセルロース（ＭＨＰＣ）、およびヒドロキシプロピルセルロース（ＨＰＣ）である。
本発明で保護コロイドとして用いられる他の多糖類および材料は、エトキシル化澱粉誘導体、部分および完全加水分解ポリビニルアルコール、ポリアクリル酸、アルカリ金属（カリウム、ナトリウム、など）ポリアクリレート、ポリアクリルアミド、ポリ（メチルビニルエーテル-無水マレイン酸）、ポリビニルピロリドン、水溶性澱粉糊、ゼラチン、水溶性アルギン酸塩、カゼイン、寒天、および天然および合成ゴムである。
保護コロイドは本発明のラテックス系の安定化に有効な量使用されるのが望ましい。この場合、有効量とは、その水系乳化重合中およびその重合が完了後にそのラテックス系を安定化するのに役立つ量である。
特に、本発明の乳化重合法における保護コロイドの濃度は広い範囲で変えられ、最終生成物でどのような性質が希望されるかに基づく経済的および実用的考慮だけで決まる上限を有する。この上限値は、反応混合物中の全エチレン系不飽和単量体含有量に対し重量で、望ましくは約５％、より望ましくは約３．５％、最も望ましくは、２．５％である。その望ましい下限値は約０．００５％である。より望ましい下限値は全エチレン系不飽和単量体含有量に対し重量で、約０．０５％で、最も望ましい下限値は、０．１％である。
本発明の保護コロイドは、単独で、若しくは他の保護コロイド或いは界面活性剤と組合せて用いられる。例えば、ＣＭＣ誘導体が単独安定剤として、若しくは一種或いはそれ以上の界面活性剤と組合せて用いられる。本発明で用いられるＣＭＣは、アクワロン社、ウィルミントン、デラウエア州（Ａｑｕａｌｏｎ  Ｃｏｍｐａｎｙ，Ｗｉｌｍｉｎｇｔｏｎ，Ｄｅｌａｗａｒｅ）から市販されており、商品名“アンバーガム”（“Ａｍｂｅｒｇｕｍ”）水溶性重合体、タイプ１２２１および３０２１として入手できる。適した疎水性修飾ヒドロキシエチルセルロースは、ハーキュリーズ社、ウィルミントン、デラウエア州（Ｈｅｒｃｕｌｅｓ  Ｉｎｃｏｒｐｏｒａｔｅｄ，Ｗｉｌｍｉｎｇｔｏｎ，Ｄｅｌａｗａｒｅ）から市販されており、商品名“ナトロゾル  プラス”（“Ｎａｔｒｏｓｏｌ  Ｐｌｕｓ”）として入手できる。
また、本発明の方法に従って、本発明で用いられる単量体は、ビニルエステル類若しくはビニルエーテル類、スチレン類およびその他のような少くとも一種のエチレン系不飽和単量体である。本発明で用いられるアクリレート類は、アクリル酸、メタクリル酸、ブチルアクリレート、メチルメタクリレート、および他のアクリル酸エステル類若しくはメタクリル酸エステル類である。
一般に、ラジカル開始剤で重合できる、場合によっては環状であってもよい任意のエチレン系不飽和単量体が、本発明の実施において使用される。望ましいエチレン系不飽和単量体には、２３未満の炭素原子を有する単量体が含まれる。
適した単量体の例は、ビニルエステル類、ビニルエーテル類、ビニルおよびビニリデンハライド、Ｎ-ビニルピロリドン、エチレン、Ｃ3若しくはそれ以上のα-オレフィン、アリルアミン類、不飽和モノカルボン酸のアリルエステル類とそのアミド類およびジエン類およびそれらの誘導体である。
適したビニルエステルは、ギ酸ビニル、酢酸ビニル、プロピオン酸ビニル、酪酸ビニル、イソ酪酸ビニル、吉草酸ビニル、カプロン酸ビニルおよびビニルバーサテート（ｖｉｎｙｌｖｅｒｓａｔａｔｅ）のような脂肪族ビニルエステル類である。
代表的なビニルエーテルに含まれるのは、メチルビニルエーテル、エチルビニルエーテルおよびｎ-ブチルビニルエーテルである。
適したＣ3若しくはそれ以上のα-オレフィンに含まれるのはプロピレン、１-ブテン、１-ペンテン、シクロペンテン、１-ヘキセン、シクロヘキセンおよび１-デセンである。
代表的なアリルアミン類の例は、アリルアミン、Ｎ-置換アリルアミンである。
適したジエン類は、ブタジエン、シクロペンタジエンおよびジシクロペンタジエンである。
適した不飽和モノカルボン酸のアリルエステル類に含まれるのは、とりわけ、酢酸アリル、プロピオン酸アリルおよび乳酸アリル、およびそれらのアミド類である。
本発明の重合体は一種またはそれ以上のエチレン系不飽和単量体から合成される。この場合、“重合体”という用語は、単独重合体および二種またはそれ以上の異なる単量体で重合される共重合体をも意味していることを留意すべきである。
アクリル系およびスチレン系ラテックス用には、低分子量のＣＭＣが推奨される。酢酸ビニル-アクリレート系には、低分子量のＨＭＨＥＣが優先的に用いられるが、低分子量のＨＥＣおよび低分子量のＣＭＣも用いられる。その重合にアクリル酸またはメタクリル酸が用いられる場合には、その使用水準は、エチレン系不飽和単量体の総含有量に対し、望ましくは約０．０００５％から約２％、より望ましくは約０．０５％から約１％である。
比較的高いガラス転移温度：例えば、約５０℃から約１５０℃、を有する本発明の重合体は“硬い”として特性化され、比較的低いガラス転移温度：例えば、約−１００℃から約−３℃、を有する重合体は“軟らかい”として特性化される。硬さおよび軟らかさの程度に影響する因子は、使用される複数のエチレン系不飽和単量体の同一性である。
それぞれ異なったエチレン系不飽和単量体は、異なった程度に硬さおよび軟らかさに寄与し、“硬い”および“軟らかい”単量体として知られている。これら異なる単量体の相対的硬さと軟らかさは、この技術分野で知られている。従って、重合体の硬さ若しくは軟らかさの程度は、その重合体を構成する単量体の硬さと軟らかさ、およびこれら単量体の相対比によって影響される。
共重合体ラテックス系を作る場合、“硬い”単量体と“軟らかい”単量体の比は、使用温度で連続ラテックスフィルムが形成されるように選ばれる。スチレン-アクリル系ラテックスでは、生成した共重合体中に、約０．００５重量％から約７０重量％のスチレンを含有する範囲で作られる。ビニル-アクリレート系は、酢酸ビニル／アクリレート単量体の約１：１から約１０：１、望ましくは約７：３から９：１の重量比範囲で作られる。
得られる本発明の方法に従って調製された分散液は、それらで調合されたラテックス塗料のスクラブ抵抗性（ｓｃｒｕｂ  ｒｅｓｉｓｔａｎｃｅ：ごしごし洗い抵抗性）を有意に向上させる。このラテックス塗料には、光沢ペイントとつや消しペイントがあり、光沢ラテックスペイントは、顔料の体積率が約５０未満であり、つや消しラテックスペイントは、顔料の体積率が約５０若しくはそれ以上である。
本発明の実施においては、この技術分野で知られている、アニオン性、カチオン性、非イオン性および両性界面活性剤およびそれらの混合物が用いられる。適した界面活性剤は、ポリグリコールエーテル類；スルホン化パラフィン系炭化水素；ラウリルサルフェートのような高級アルキルサルフェート；ステアリン酸ナトリウムおよびオレイン酸ナトリウムのような脂肪酸のアルカリ金属塩；脂肪アルコールの硫酸エステル；４-５０より望ましくは１０-２０個のエチレンオキシド単位を有するノニルフェノールエトキシレートのようなエトキシル化Ｃ4-50アルキルフェノールおよびそれらのスルホン化生成物；エトキシル化Ｃ4-50アルカノールおよびそれらのスルホン化生成物；そしてまたジオクチルスルホ-コハク酸ナトリウムのようなスルホ-コハク酸エステル類、であるが、これらの界面活性剤若しくは乳化剤は、場合により使用されるもので、必ずしも必要ではないが、それらを使用する場合、それらは、この工程で存在するエチレン系不飽和単量体の総重量を基に、普通０．１から５．０重量％、望ましくは０．１から２．０重量％が量存在する。
回分式、半-回分式、若しくは連続式で、熱的方法或いはレドックス法を含む既存の任意の乳化重合が用いられる。回分式または連続的に開始剤或いは触媒を添加する半-回分式単量体添加法が推奨される。この重合は、大きいせん段変形下でも行うことができ、というのは、例えば、ループ-反応器をこの反応を行うのに使用できる。この反応器への開始装填で、一種または複数のエチレン系不飽和単量体の約０％から約４％重量％、より望ましくは約１％から約２５重量％、そして最も望ましくは、約５から約１５重量％の量を添入するのが望ましい。また、この反応器への開始装填で、開始剤の約０％から約６０重量％、より望ましくは約５０％から約６０重量％を添入するのことが推奨される。任意の一つまたは複数の反応成分を連続的に添入する方法では、一般に約２から約５時間にわたって添加が行われる。開始剤或いは触媒の回分式または遅延式添加法を使用することもできるが、これらの変法は本発明を上首尾に行うために必要ではない。
一般に、これら単量体は、水系乳化法により、約２０℃から約１２０℃、望ましくは約４５℃から約９５℃で、ラジカル重合開始剤、特に水溶性ペルオキシド、例えば、過酸化水素、ペルオキソ硫酸カリ、ナトリウムおよびアンモニウムのようなペルオキソ硫酸塩または場合により、過ホウ酸塩の存在下で、重合される。この技術分野で知られている他の方法、例えば、ペルオキソ硫酸カリと亜硫酸水素ナトリウムのようなレドックス重合触媒系を用いる方法によっても行われる。この開始剤は、単量体（一種または複数）に対して０．２〜２．０重量％の濃度で、望ましくは０．３〜１．０％の量で用いられる。
得られる本発明の生成物は、ラテックス系で、このようにして合成された重合体の粒子が不連続相として散されて、水連続相中含まれており、保護コロイドも含まれている。これら粒子は、望ましくは約５００ナノメータ未満、より望ましくは約３００ナノメータ未満、そして、さらにより望ましくは約２００ナノメータ未満の平均粒径を有するの望ましい。
本発明のラテックス系は素晴らしいせん断安定性を有する。本明細書中で前に行った論議と一致して、これはラテックスペイント組成物に用いられる。これらペイント組成物は、さらに少くとも一種の顔料および増量剤を含んでいるのが望ましく、またラテックスペイント調合処方で常用されている増粘剤を含む追加成分を用いことができる。
さらに、本発明のラテックス系は、水系のインキ組成物、紙の塗工用組成物、不織布材料用バインダ、および接着剤組成物、特にデキストリンを含まない接着剤組成物に用いられる。
本明細書中で用いられる全ての部およびパーセントは、特に断らない限り、重量で示される。
本発明は以下の実施例によって例示されるが、これら実施例は、説明の目的のためであり、本発明の範囲を限定するものと考えるべきではない。
実施例
分子量（Ｍｗ）は、高性能体積排除クロマトグラフィー（ＳＥＣ）法により，以下のようにして測定された。
装置：このＳＥＣ分析のために、ウォータース社（Ｗａｔｅｒｓ  Ａｓｓｏｃｉａｔｅｓ）のＲ４０１示差屈折計とケップ  アンド  ゾネン社（Ｋｅｅｐ  ａｎｄ  Ｚｏｎｅｎ）のモデルＢＤ  ４０記録計を備えたヴァリアン社（Ｖａｒｉａｎ）の５０１０ＬＣを使用した。レオダイン（Ｒｈｅｏｄｙｎｅ）モデル５３０２、三方トグルバルブを、試料の出口と基準試料の入口のラインの間に取付け、そのセルの基準側を定期的に洗浄できるようにした。しかし、分析中、その屈折計の基準試料側には定常の移動相が入れられていた。注入は、５０μＬの試料用ループを備えた、モデル７０１０レオダイン・バルブを用いて行われた。
クロマトグラフィー用カラム：このＳＥＣカラムは、シンクロム社（ＳｙｎＣｈｒｏｍ，Ｉｎｃ．）［リンケン、インディアナ州（Ｌｉｎｋｅｎ  Ｉｎｄｉａｎａ）］から購入され、シリカ上にグリセリルプロピル基を化学的に結合させた相が充填されていた。用いられたこのカラムセットは、ＧＰＣ１００オングストローム（孔径）保護カラム（５ｃｍ×４．１ｍｍ  Ｉ．Ｄ．Ｌｏｔ  ｎｏ．２２７９０４）一本、ＧＰＣ１００オングストローム分析用カラム二本（２５ｃｍ×４．６ｍｍ  Ｉ．Ｄ．Ｌｏｔ  ｎｏ．２２２０３３および４９２０１）、およびＧＰＣ１０００オングストローム分析用カラム（２５ｃｍ×４．６ｍｍ  Ｉ．Ｄ．Ｌｏｔ  ｎｏ．４８２０５）一本から構成されていた。これらカラムは、列記した順番に直列に連結された。
移動相の調製：この分析に用いた移動相は、イオン強度０．７Ｍで、ｐＨ３．７のアセテート緩衝溶液であった。このｐＨ３．７の移動相は、１リットルのメスフラスコに、先ず４Ｍの酢酸ソーダ６０ｍＬと４Ｍの酢酸４４０ｍＬを入れ、次いで、蒸留脱イオン水を定量まで満たして調製された。これは、ｐＨ３．７でイオン強度０．２４Ｍの緩衝溶液であった。次いで、この０．２４Ｍのアセテート溶液の１Ｌに０．４モルの硫酸ソーダ加えることにより、この溶液のイオン強度を１．４４Ｍに上げた。移動相の不適合を最小限に抑えるために、この１．４４Ｍイオン強度溶液を試料調製の間中使用した。最終移動相は、この２倍強度の１．４４Ｍ溶液を蒸留脱イオン水で１：１に稀釈し、次いで０．２２μｍタイプ-ＧＳミリポア膜を通してろ過して調製された。
試料の調製：全ての試料は、０．１５０ｇの重合体（固体ベースで含有水分を補正）を蒸留脱イオン水に溶かして総容量を２５ｍＬにして、初濃度６ｍｇ／ｍＬになるように調製された。これらの水溶液を、１．４Ｍの２倍強度のアセテート緩衝溶液で１：１に稀釈し、移動相組成に大体適合する３ｍｇ／ｍＬの濃度にした。全ての試料溶液は、注入前に、０．４５μｍ-ミレックス-ＨＶ（Ｍｉｌｌｅｘ-ＨＶ）使い捨てフィルターユニット［ミリポア社（Ｍｉｌｌｏｐｏｒｅ）から）を通してろ過された。
分析条件
カラムセット：ＧＰＣ１００オングストローム（保護）、１００、１００、１０００各オングストローム［シンクロパック（Ｓｙｎｃｈｒｏｐａｃｋ）］
移動相      ：０．７Ｍ、ｐＨ３．７アセテート緩衝溶液
流速        ：０．５ｍＬ／分（実測値：０．５１ｍＬ／分）
圧力        ：１３５-１４０気圧
チャート速度：１ｃｍ／分
試料濃度    ：１．５-２．０ｍｇ／ｍＬ
ＤＲＩ減衰  ：２×
上記条件を用いて、各試料を多重注入した。基準分子量（Ｍｗ）を比較するために、得られたＳＥＣクロマトグラムを重ねてトレースした。
較正：アメリカン  ポリマー  スタンダード社（Ａｍｅｒｉｃａｎ  Ｓｔａｎｄａｒｄｓ  Ｃｏｒｐｏｒａｔｉｏｎ）からの、各種Ｍｗの一連のデキストラン基準試料（ＤＸＴＫＩＴ）を先行体積（間隔）を用いて分析した。全透過限界で基本的に溶出する最低分子量の基準試料（ＤＸＴ-１８０Ｍｗ）は，内部基準としても用いられた。
平均分子量Ｍｗ測定法
実施例１
低分子量ＣＭＣで安定化した全-アクリル系ラテックス
本実施例は、本発明の水系分散液の一つの実施態様とその合成法を例示するものである。
この重合は、熱電対、逆流冷却器、単量体導入管、開始剤導入管および半月型撹拌機を備えた２リットルのガラス反応容器中で行われた。アンバーガム３０２１の商品名で市販されている保護コロイド［アクアロン社（Ａｑｕａｌｏｎ  Ｃｏｍｐａｎｙ）から入手できる、分子量（Ｍｗ）約７，０００から１１，０００、カルボキシル置換度約１．２で、２５℃で、６３０ｍＰａ・ｓのブルックフィールド粘度を有し、溶液濃度２９．６％のカルボキシメチルセルロース（ＣＭＣ）］１６．５グラムと、炭酸水素ナトリウム１．６グラムを、４６１グラムの脱イオン水に溶解した。完全に溶けた後で、湯浴を用いて温度を８５℃に上げた。次いで、開始剤溶液（５０グラムの脱イオン水中に１．５グラムのペルオキソ硫酸カリ）の４０％を３０秒で均等に加えた。１分後、単量体の添入を始めた。単量体混合物（ブチルアクリレート：２４８．６グラム、メチルメタクリレート：２４８．６グラムおよびメタクリル酸：２．８グラム）を、最初、５４．５グラム／時間の添加速度で計量して添入し、そしてこの速度を反応の最初の１時間で徐々に１６３．５グラム／時間にまで上げた。次いで、温度が８５℃に戻ってから開始剤溶液の残りの約９５％を計量して加え、その開始剤溶液の残りの５％は残して置いて、全単量体を添入した後で加えた。上述の開始剤の残りの９５％の添加は、単量体の添入と同じ時間範囲にわたって行われ、その単量体と上述の開始剤の残りの９５％の添加が同時に終わるように、開始剤の添加速度を単量体の添加速度に対して調節した。単量体と開始剤の両方は、それぞれ、プランジャーポンプと蠕動ポンプ（ｐｅｒｉｓｔａｌｔｉｃ  ｐｕｍｐ）を用いて、３．５から４時間かけて加えられた。
反応温度は、８５℃に保たれた。重合は、開始剤と単量体の添加後１時間８５℃に温度を保持することにより終了した。その後、得られたラテックスを室温まで冷却した。撹拌速度は、反応の間中２００ｒｐｍであった。
対照実施例Ａ
高分子量ＣＭＣで安定化した全-アクリル系ラテックス
この対照実施例は、低い分子量の保護コロイドが必要なことを例示している。次の変更点を除いて、実施例１で説明したのと同じ調合と方法を用いた：アンバーガムR ３０２１製品１６．６グラムを使用する代わりに、約３００，０００のＭｗを有するＣＭＣ１２Ｍ８Ｐ［ブルックフィールド粘度（２％溶液、２５℃）４３０ｍＰａ・ｓ）１０グラムを使用した。この場合、得られるラテックスの固形分含有量を同じにするためには、脱イオン水の量を４７３グラムに調整しなければならなかった。
対照実施例Ｂ
非イオン界面活性剤で安定化した全-アクリル系ラテックス
この対照実施例は、せん断に安定なラテックスを得るためには大量の非イオン界面活性剤が必要なことを例示し、そして本発明用との比較に役立つ。１６．６グラムの保護コロイドを用いる代りに、非イオン界面活性剤［１０エチレンオキシド単位を有するノニルフェノールエトキシレート：ストックハウゼン社（Ｓｔｏｃｋｈａｕｓｅｎ）から入手したイントラゾルＮＰ１０、活性成分１００％］２０グラムを４３３グラムの脱イオン水に溶解したことを除いて、実施例１の調合と方法が用いられた。
対照実施例Ｃ
アニオン界面活性剤と非イオン界面活性剤の両方で安定化した全-アクリル系ラテックス
この対照実施例は、保護コロイドを使用しない全-アクリル系ラテックスで、せん断に安定なラテックスを得るためには大量の界面活性剤が必要なことを例示している。１６．６グラムの保護コロイドを用いる代りに、非イオン界面活性剤［１０エチレンオキシド単位を有するノニルフェノールエトキシレート：イントラゾルＮＰ１０、活性成分１００％］１０グラムとアニオン界面活性剤［ジオクチルスルホサクシネート：サイアナミド社（Ｃｙａｎａｍｉｄ）から入手したアエロゾル（Ａｅｒｏｓｏｌ）ＯＴ-７５、活性成分７５％］１０グラムを一緒に４７２グラムの脱イオン水に溶解したことを除いて、実施例１の調合と方法が用いられた。
実施例２
低分子量ＣＭＣで安定化した界面活性剤を含まないスチレン-アクリル系ラテックス
この実施例は、本発明のもう一つの実施態様を例示する。この重合は、熱電対、逆流冷却器、単量体導入管、開始剤導入管および半月型撹拌機を備えた２リットルのガラス反応容器中で行われた。保護コロイド（アンバーガムR ３０２１ＣＭＣ：２５℃で、６３０ｍＰａ・ｓの溶液粘度を有し、溶液濃度２９．６％］３３グラムと、炭酸水素ナトリウム１．６グラムを、４５０グラムの脱イオン水に溶解した。完全に溶けた後で、湯浴を用いて温度を８５℃に上げた。次いで、開始剤溶液（５０グラムの脱イオン水中に１．５グラムのペルオキソ硫酸カリ）の４０％を３０秒で均等に加えた。１分後、単量体の添入を始めた。単量体混合物（ブチルアクリレート：２４５グラム、スチレン：２４５グラムおよびメタクリル酸：１０グラム）を、最初、５４．５グラム／時間の添加速度で添加した。この速度を、反応の最初の１時間で徐々に１６３．５グラム／時間にまで上げた。重合法の残りの部分は、実施例１に説明したのと同じであった。
対照実施例Ｄ
アニオン界面活性剤と非イオン界面活性剤で安定化したスチレン-アクリル系ラテックス
この対照実施例は、界面活性剤の濃度が低い場合、安定なラテックスを得るためには低分子量の保護コロイドが必要なことを例示している。３３グラムの保護コロイドの代りに、アニオン界面活性剤［アルキルアリールエーテルサルフェート：ディスポニル（ヘンケル社（ＨｅｎｋｅｌＧｍｂＨ）、デュッセルドル、ドイツから入手したＤｉｓｐｏｎｉｌＡＥＳ６０：活性成分３３％］１５グラムと非イオン界面活性剤［１０エチレンオキシド単位を有するノニルフェノールエトキシレート：イントラゾルＮＰ１０、活性成分１００％］５グラムを４６３グラムの水に溶解したことを除いて、実施例２の調合と方法が用いられた。この場合、単量体混合物は、ブチルアクリレート：２４８．６グラム、スチレン：２４８．６グラムおよびメタクリル酸：２．８グラムであった。
実施例３
両界面活性剤と低分子量ＣＭＣで安定化したスチレン-アクリル系ラテックス
安定化のために、アンバーガムR溶液に加えて、アニオン界面活性剤［アルキルアリールエーテルサルフェート：ディスポニルＡＥＳ６０：活性成分３３％］１５グラムおよび非イオン界面活性剤［１０エチレンオキシド単位を有するノニルフェノールエトキシレート：イントラゾルＮＰ１０、活性成分１００％］５グラムを４５０グラムの水に溶解したことを除いて、実施例２の調合と方法が用いられた。
実施例４
両界面活性剤と低分子量ＣＭＣで安定化したスチレン-アクリル系ラテックス
アンバーガムR ３０２１製品、３３グラムを用いる代りに、その１６．６グラムを、アニオン界面活性剤（ジシクロヘキシルスルホコハク酸ナトリウム：アエロゾル１９６、活性成分８５％）５．９グラムおよび非イオン界面活性剤［４エチレンオキシド単位を有するノニルフェノールエトキシレート：スルホニックＮ４０（Ｓｕｒｆｏｎｉｃ  Ｎ４０）、活性成分１００％］５グラムと共に、４６３グラムの水に溶解したことを除いて、実施例２の調合と方法が用いられた。この場合、単量体混合物は、ブチルアクリレート：２４８．６グラム、スチレン：２４８．６グラムおよびメタクリル酸：２．８グラムであった。単量体の転化率を改善するために開始剤の量を増やしたが、まだ低レベルであった。この開始剤溶液は水１００グラム中に３グラムのペルオキソ硫酸カリを含んでいた。
実施例５
低分子量ＣＭＣを含む酢酸ビニル-アクリル系ラテックス
この実施例は、単量体組成物中に比較的大量にブチルアクリレートを含み、界面活性剤を含まない酢酸ビニル-アクリル系分散液を製造する可能性を例示している。
この重合は、熱電対、逆流冷却器、単量体導入管、開始剤導入管および半月型撹拌機を備えた２リットルのガラス反応容器中で行われた。保護コロイド（アンバーガムR ３０２１ＣＭＣ：２５℃で、６３０ｍＰａ・ｓのブルックフィールド粘度を有し、溶液濃度２９．６％）３３グラムと、炭酸水素ナトリウム２．０グラムを、３９７グラムの脱イオン水に溶解した。完全に溶けた後で、湯浴を用いて温度を８０℃に上げた。
次いで、開始剤溶液（５０グラムの脱イオン水中に１．５グラムのペルオキソ硫酸カリ）の４０％を３０秒で均等に加えた。１分後、単量体の添入を始めた。単量体混合物（酢酸ビニル：３５０グラムとブチルアクリレート：１５０グラム）を、最初、５４．５グラム／時間の添加速度で添加した。この速度を、反応の最初の１時間で徐々に１６３．５グラム／時間にまで上げた。次いで、温度が８０℃に戻ったら、再び、開始剤溶液の残りの約９５％を計量して加えた。その開始剤溶液の残りの５％は残して置いて、全単量体の添入後に加えた。開始剤は、単量体と同じ時間範囲にわたって添加され、そして開始剤の添加速度は、単量体の添加速度に合わせて調節された。単量体と開始剤の両方は、それぞれ、プランジャーポンプと蠕動ポンプを用いて、３．５から４時間かけて加えられた。反応温度は、８０℃に保たれた。重合は、開始剤と単量体の添加後、１時間８０℃に温度を保持することにより終了した。その後、得られたラテックスを室温まで冷却した。撹拌温度は、反応の間中２００ｒｐｍであった。
実施例６
両界面活性剤と低分子量ＣＭＣを含む酢酸ビニル-アクリル系ラテックス
この実施例で用いられた調合と方法は、次の変更を除いて実施例５で説明したのと同じであった：アンバーガムR ３０２１ＣＭＣ、３３グラムを使用する代りに、アンバーガムR １５２１製品（Ｍｗ：約３５，０００から５０，０００、カルボキシル置換度約１．２で、２５℃で、１５４０ｍＰａ・ｓのブルックフィールド粘度を有し、溶液濃度１４．７％）を、アニオン界面活性剤［３０エチレンオキシド単位を有する硫酸化ノニルフェノールエトキシレート：フェノポン（Ｆｅｎｏｐｏｎ）ＥＰ１２０；活性成分３０％］１７グラムおよび非イオン界面活性剤［ノニルフェノールエトキシレート：アンタロックス（Ａｎｔａｒｏｘ）ＣＯ８９７；活性成分７０％］７．１グラムと一緒に３６３グラムの脱イオン水に溶解した。重合法の残りの部分は、実施例４に説明したのと同じであった。
実施例７
両界面活性剤と低分子量ＣＭＣを含む酢酸ビニル-アクリル系ラテックス
この実施例で用いられた調合と方法は、この場合界面活性剤も添加されたことを除いて実施例５で用いたのと同じであった：その保護コロイドと緩衝剤を、非イオン界面活性剤［２０エチレンオキシド単位を有するノニルフェノールエトキシレート：タージトール（Ｔｅｒｇｉｔｏｌ）ＮＰ４０；活性成分１００％］５グラムおよびアニオン界面活性剤［３０エチレンオキシド単位を有する硫酸化ノニルフェノールエトキシレート：フェノポンＥＰ１２０；活性成分３０％］１７グラムと共に３９７グラムの水に溶解した。
実施例８
両界面活性剤と低分子量ＨＥＣを含む酢酸ビニル-アクリル系ラテックス
この実施例で用いられた調合と方法は、次の変更を除いて実施例１で説明したのと同じであった：混合アニオン界面活性剤（ディスポニルＭＧＳ１５６、活性成分：４０％）１２．５グラムを、非イオン界面活性剤（ノニルフェノールエトキシレート：アンタロックスＣＯ８９７；活性成分７０％）７．１グラム、Ｍｗが約７，０００から約１１，０００の低分子量ＨＥＣ（溶液濃度２９．１％、ブルックフィールド粘度２６０ｍＰａ・ｓ）３３グラムおよび炭酸水素ナトリウム２．８グラムと共に、３９７グラムの脱イオン水に溶解した。反応温度は８０℃で、単量体混合物は酢酸ビニル３５０グラムとブチルアクリレート１５０グラムから構成されていた。
実施例９
両界面活性剤と低分子量ＨＭＨＥＣ（発明品）を含む酢酸ビニル-アクリル系ラテックス
用いた調合と方法は、低分子量ＣＭＣを使用しないで、低分子量ナトロゾル・プラスＨＭＨＥＣ（溶解濃度２１．１％、ブルックフィールド粘度：２５℃で２８．５ｍＰａ・ｓ）４７．４グラム使用したことを除いて、実施例８で説明したのと同じであった。この保護コロイドの重量平均分子量は約２５，０００である。ラテックスとして同じ固形分含有量になるようするために水の量を調整しなければならなかった。界面活性剤、緩衝剤（この場合２．０グラム）および保護コロイドは、３８３グラムの脱イオン水に溶解された。
実施例１０
両界面活性剤と低分子量ＨＭＨＥＣを含む酢酸ビニル-アクリル系ラテックス
用いた調合と方法は、低分子量ＣＭＣを使用しないで、低分子量ナトロゾル・プラスＨＭＨＥＣ（Ｍｗ約２５，０００で、２％溶液の粘度：２５℃で４ｍＰａ・ｓ）４７．４グラム使用したことを除いて、実施例８で説明したのと同じであった。それ故、水の量を調整しなければならなかった。界面活性剤、緩衝剤２．０グラム）および保護コロイドを、３８３グラムの脱イオン水に溶解した。
対照実施例Ｅ
界面活性剤で安定化した酢酸ビニル-アクリル系ラテックス
この実施例で用いられた調合と方法は、保護コロイドが使用されなかったことを除いて正確に実施例９で用いたのと同じであり、それ故、界面活性剤と緩衝剤は、４２０グラムの水に溶解された。見られるように、界面活性剤だけが用いられる場合、単量体の転化率は悪く、そのラテックスは非常に低粘度であった。
実施例１１
界面活性剤と低分子量ＣＭＣで安定化した酢酸ビニル-アクリル系ラテックス
この重合は、熱電対、単量体導入管、開始剤導入管および撹拌機を備えた２リットルのステンレス鋼製反応容器中で行われた。保護コロイド（アンバーガムR ３０２１ＣＭＣ：２５℃で、６３０ｍＰａ・ｓのブルックフィールド粘度を有し、溶液濃度２９．６％）３３グラムと、炭酸水素ナトリウム１．２５グラムを、３３７グラムの脱イオン水に溶解した。これに次いで、活性成分１００％のＥＨＳＳ［ビス（エチルヘキシル）スルホ・コハク酸ナトリウム塩］２１．５グラムとアンタロックスＣＯ８９７（ノニルフェノール・４０ＥＯ）３．６グラムを加えた。完全に溶けた後で、湯浴を用いて温度を８０℃に上げた。次いで、開始剤溶液（１００グラムの脱イオン水に２．５グラムのペルオキソ硫酸カリ）の１５％を３０秒で均等に加えた。
１分後、単量体と開始剤溶液の残りの添加を始めた。反応容器でのエチレンの圧力を２１バールに維持しながら、４４５グラムの酢酸ビニルを１２０分にわたって徐々に添加した。開始剤は、単量体と同じ時間にわたって加えられた。反応温度は８０℃に保たれた。重合は、開始剤と単量体の添加が完了した後、１時間８０℃に温度を保持することにより終了した。その後、そのラテックスを室温まで冷却した。
実施例１２
界面活性剤と低分子量ＣＭＣで安定化した酢酸ビニル-ブチルアクリレート：高せん断下での重合
この実施例は、低分子量保護コロイドを使用するとその反応中に高いせん断変形を利用することが可能なことを例示している。
この実施例で用いられた調合と方法は、この実施例では、アニオン界面活性剤（ディスポニルＭＧＳ１５６、活性成分：４０％）１２．５グラム、非イオン界面活性剤（ノニルフェノールエトキシレート：アンタロックスＣＯ８９７；活性成分７０％）７．１グラム、保護コロイド（アンバーガムR ３０２１ＣＭＣ：２５℃で、６３０ｍＰａ・ｓのブルックフィールド粘度を有し、溶液濃度２９．６％）３３グラムおよび炭酸水素ナトリウム２．０グラムの混合物を、３９７グラムの脱イオン水に溶解したことを除いて、実施例５で説明したのと同じであった。この実施例での撹拌速度は４００ｒｐｍ（先端速度２．７２ｍ／秒）であった。
実施例Ｆ
界面活性剤で安定化した酢酸ビニル-ブチルアクリレート：高せん断下での重合
この実施例は、高いせん断変形を加える場合、この重合に、低分子量保護コロイドが必要なことを例示している。
この実施例で用いられた調合と方法は、この実施例では、アニオン界面活性剤（ディスポニルＭＧＳ１５６、活性成分：４０％）１２．５グラム、非イオン界面活性剤（ノニルフェノールエトキシレート：アンタロックスＣＯ８９７；活性成分７０％）７．１グラムおよび炭酸水素ナトリウム２．０グラムの混合物を、４２０グラムの脱イオン水に溶解したことを除いて、実施例５で既に説明したのと同じであった。この実施例での撹拌速度は４００ｒｐｍ（先端速度２．７２ｍ／秒）であった。
実施例１３
低い最低フィルム形成温度を有し、そしてＣＭＣで安定化した全-アクリル系ラテックス
重合は、以下の変更を除いて、実施例１で説明したように行われた。１６．６グラムのアンバーガムR ３０２１ＣＭＣの代りに、３３グラムのアンバーガムR ３０２１ＣＭＣを、６．２５グラムのジヘキシルスルホスクシネート（ディスポニルＳＵＳ  ＩＣ６８０、活性成分８０％）、５グラムの、４エチレンオキシド単位を含むノニルフェノールエトキシレート（スルホニックＮ４０、活性成分１００％）および１．６グラムの炭酸水素ナトリウムと共に、４５０グラムの脱イオン水に溶解した。用いられた単量体混合物は、メチルメタクリレート：２００グラム、ブチルアクリレート：３００グラム、およびメタクリル酸：２．８グラムから構成されていた。
実施例Ｇ
低い最低フィルム形成温度を有し、そして界面活性剤で安定化した全-アクリル系ラテックス
この対照例の重合は、安定化のためのアンバーガムR重合体を使用しなかったことを除いて、実施例１３で説明されたように行われた。それ故、界面活性剤と緩衝剤を４７３グラムの水に溶解した。
実施例１４
低い最低フィルム形成温度を有し、そして超低分子量ＨＭＨＥＣで安定化された酢酸ビニル-アクリル系ラテックス
重合は、以下の変更を除いて実施例１０で説明したように行われた。混合アニオン界面活性剤（ディスポニルＭＧＳ１５６、活性成分：４０％）１２．７グラム、エトキシル化脂肪アルコール（ディスポニルＡＰＥ２５７、活性成分６５％）７．７グラム、炭酸水素ナトリウム１．６グラムおよび低分子量ナトロゾル・プラスＨＭＨＥＣ１０グラムを、４２２グラムの脱イオン水に溶解した。この単量体混合物は、酢酸ビニル：２００グラムとブチルアクリレート：３００を含んでいた。
実施例１５
中程度の最低フィルム形成温度を有し、そしてＣＭＣで安定化した酢酸ビニル／ヴェオヴァ-１０ラテックス
重合は、熱電対、逆流冷却器、単量体導入管、開始剤導入管および半月型撹拌機を備えた２リットルのガラス反応容器中で行われた。
保護コロイド（アンバーガムR ３０２１ＣＭＣ：２５℃で、６３０ｍＰａ・ｓのブルックフィールド粘度を有し、溶解濃度２９．６％）４０グラムを、炭酸水素ナトリウム１．６グラム、ジヘキシルスルホスクシネート（ディスポニルＳＵＳ  ＩＣ６８０、活性成分８０％）７．５グラム、および非イオン界面活性剤［アトポール（ＡＴＰＯＬ）Ｅ５７２０）６グラムと共に４３２グラムの脱イオン水に溶解した。この混合物を完全に溶かした後、湯浴中で温度を８０℃に上げた。次いで、単量体の全量の５％を１分の間に加えた。２分後、開始剤溶液（脱イオン水６０グラム中に１．８グラムのペルオキソ硫酸カリ）の２５％を添加した。再び、温度が７２℃になってから、単量体の添加を始めた。この単量体混合物（酢酸ビニル３００グラム、ヴェオヴァ-１０単量体３００グラム）を、１８０グラム／時間の速度で計量添入した。ヴェオヴァ（ＶｅｏＶａ）は、商品名で、シェル化学社（Ｓｈｅｌｌ  ｃｈｅｍｉｃａｌ  Ｃｏｍｐａｎｙ）から市販されている、ビニルバーサテート製品である。５分後、温度を８０℃に上げ、この温度に保った。開始剤溶液の流速は、単量体の流速にあわせて調整された。この撹拌機の撹拌速度は、この反応の間２００ｒｐｍであった。重合は、開始剤と単量体の添加後、１時間８０℃に温度を保持することにより終了した。その後、その重合塊を室温まで冷却した。
実施例Ｈ
中程度の最低フィルム形成温度を有し、そして界面活性剤で安定化した酢酸ビニル／ヴェオヴァ-１０ラテックス
この対照実施例の重合は、保護コロイドを使用しなかったことを除いて、実施例１５の方法に従って行われた。それ故、水の量は４６０グラムに調整された。
実施例１６
ＣＭＣと界面活性剤で安定化したメチルメタクリレート／ヴェオヴァ-９／ブチルアクリレート・ラテックス
重合は、メチルメタクリレート：１００グラム、ヴェオヴァ-９：１００グラム、ブチルアクリレート：３００グラムおよびメタクリル酸：２．８グラムを含んでいることを除いて、実施例１３の方法に従って行われた。
実施例１７
界面活性剤なしでＣＭＣとで安定化したメチルメタクリレート／ヴェオヴァ-９／ブチルアクリレート・ラテックス
重合は、界面活性剤を使用しなかったことを除いて、実施例１６の方法に従って行われた。
実施例１８
超低分子量ヒドロキシプロピルセルロースで安定化したメチルメタクリレート／ブチルアクリレート・ラテックス
重合は、実施例１で説明された方法を用いて行われた。保護コロイドとして、アンバーガムR ３０２１ＣＭＣ：１６．６グラムの代りに、曇点が９０℃より高い超低分子量ヒドロキシプロピルセルロース（Ｍｗ：６５００）の３０％溶液１６．５グラムを使用した。
これらの前記実施例および対照例のラテックスの性質を下の表１と表２に示した。
0003667341.tif 000002
0003667341.tif 000003
固形分含有量は、一定量のラテックスを量り、これを１２０℃で乾燥し、その乾燥量を再秤量し、そして乾燥重量を湿潤重量で割って、重量法で求めた。粗粒子（ｇｒｉｔ）含有量は、秤量したラテックスを２００メッシュのふるいを通し、２００メッシュより大きいフラクションとして求めた。フィルムの性質は、湿潤時の厚みが２００ミクロン（μｍ）のラテックス・フィルムについて、ウォータースポット試験の場合はガラス基板上で、そしてフィルムの光沢測定の場合にはレネタ・シート（Ｌｅｎｅｔａ  ｓｈｅｅｔｓ）上で、測定された。ラテックス・フィルムは、両測定共、２０℃および４５℃で乾燥された。フィルムの光沢は、バイク・グロス・ヘッド（Ｂｙｋ  ｇｌｏｓｓ  ｈｅａｄ）を用い、６０度の角度で測定した。
耐水性は、これらフィルム上に数滴の水を乗せて測定した。５分後にそのフィルムの外観を判別した。評価は次の通りである：
１０  透明
８    僅かに曇る
６    曇る
４    乳濁
２    白濁
０    フィルム再乳化
粒径分布は、ジョイス  レーベル円板遠心器で測定した。
実施例１９
界面活性剤と低分子量ＨＭＨＥＣで安定化した酢酸ビニル-ブチルアクリレートラテックスで調製した顔料体積率（ＰＶＣ）６５のペイント
この実施例は、保護コロイドで安定化した、小さい粒径（この場合、約２００ナノメータ）であることを特徴とする不連続重合体相を有するラテックスは、その良好なフィルム形成能により、それからのペイントで素晴らしい性質を示すことを例示している。そのような微小粒径を有することにより、ペイントは、より充填度の高い系の調合も可能になる。
表３に示したようにＰＶＣ６５のペイントに、実施例９のラテックスが用いられた。
対照実施例Ｉ
酢酸ビニル-ヴェオヴァ-市販ラテックス［モウィリス（Ｍｏｗｉｌｉｔｈ）ＤＭ２１］で調製されたＰＶＣ６５のペイント
同じく表３に示したように、ＰＶＣ６５の調合物に市販のラテックスモウィリスＤＭ２１を使用した。このペイントは、界面活性剤とナトロゾル・プラス低分子量ＨＭＨＥＣで安定化された。
実施例２０
界面活性剤と低分子量ＨＭＨＥＣで安定化した酢酸ビニル-ブチルアクリレート・ラテックスで調製したＰＶＣ８０のペイント
表３に示したように、実施例９のラテックスをＰＶＣ８０のペイントに用いた。
実施例２１
界面活性剤と低分子量ＣＭＣで安定化した、スチレンアクリレートラテックスで調製したＰＶＣ８０のペイント
保護コロイドとして、３３グラム（１６．６グラムの代りに）のアンバーガムR ３０２１溶液を用いたことを除いて、実施例４で説明したラテックスをＰＶＣ８０のペイントの調製に用い、同様に表３に示した。
対照実施例Ｊ
市販のスチレン-アクリレート・ラテックス（アクロナール２９０Ｄ）で調製したＰＶＣ８０のペイント
市販のラテックス（アクロナール２９０Ｄ）をＰＶＣ８０の調合に用い、同様に表３に示した。
実施例２２
低分子量ＣＭＣで安定化した、アクリル系ラテックスで調製したＰＶＣ１５のペイント
実施例１で説明したラテックスを用いて、高光沢のＰＶＣ１５のペイントを調製し、表３に示した。
対照実施例Ｋ
市販のアクリレート系ラテックス（プリマールＡＣ５０７）で調製したＰＶＣ１５のペイント
市販のラテックス［プリマール（Ｐｒｏｍａｌ）ＡＣ５０７］をＰＶＣ１５の調合に用い、同様に表３に示した。
実施例１９〜２１および対照実施例ＪおよびＫのペイントの性質を表４および５に示した。
表４および５に示した増粘剤で、ナトロゾルＭＢＲとナトロゾルＨＢＲは非会合性増粘剤であり、ナトロゾル・プラスとプリマールＲＭＢは会合性増粘剤である。ナトロゾルＭＢＲとナトロゾルＨＢＲは、ナトロゾル・プラスと同様に、ハーキュリーズ社から市販されており、プリマールＲＭ８は、ローム  アンド  ハース社、フィラデルフィア、ペンシルバニア州（Ｒｏｈｍ  ＆  Ｈａａｓ  ｏｆ  Ｐｈｉｌａｄｅｌｐｈｉａ，Ｐｅｎｎｓｙｌｖａｎｉａ）から市販されている。
0003667341.tif 000004
0003667341.tif 000005
0003667341.tif 000006
実施例２３
（下の表に示したように）実施例１３のラテックスを含む次の成分から、無溶媒ラテックスつや消しペイントを調製した。
0003667341.tif 000007
実施例２３のペイントの性質を表６に示す。
0003667341.tif 000008
さて、本発明は、特定の方法、材料および実施態様いついて説明されているが、本発明は、この開示された特定例に限定されるものではなく、請求の範囲内の全ての同等例にわたるものであることに留意すべきである。